(57)【要約】      （修正有）【課題】樹木等の他の物品に装飾することができ、電球等の光源から発せられる光のみでなく、この光を利用した新たな趣向の光の演出を楽しむことができる装飾装置を提供する。【解決手段】可撓性を有する透明樹脂チューブの長手方向の少なくとも一端部に当該長手方向に向けて発光する光源２を有するとともに、上記透明樹脂チューブの両端部にそれぞれ連結部材３、４を有する複数本の装飾部材１を、一の装飾部材の上記連結部材である第１の連結部材（３）と他の装飾部材の上記連結部材である第２の連結部材４とを接続することにより連結し、かつ上記光源に電流を供給可能な電流供給器を設けた装飾装置とした。【選択図】図３
0003134989.tif 000002
【実用新案登録請求の範囲】
【請求項１】
可撓性を有する透明樹脂チューブの長手方向の少なくとも一端部に当該長手方向に向けて発光する光源を有するとともに、上記透明樹脂チューブの両端部にそれぞれ連結部材を有する複数本の装飾部材が、一の装飾部材の上記連結部材である第１の連結部材と他の装飾部材の上記連結部材である第２の連結部材とを接続することにより連結されてなり、かつ上記光源に電流を供給可能な電流供給器が設けられていることを特徴とする装飾装置。
【請求項２】
上記透明樹脂チューブは、内部まで無色の透明樹脂が充填されていることを特徴とする請求項１に記載の装飾装置。
【請求項３】
上記光源は、発光ダイオードであって、上記透明樹脂チューブの長手方向に向けて発光するように上記透明樹脂チューブの両端部に埋設されており、かつ上記装飾部材は、それぞれ一端部に上記第１の連結部材が設けられているとともに、他端部に上記第２の連結部材が設けられており、これらの第１の連結部材および第２の連結部材は、透明樹脂チューブに埋設された発光ダイオードの背面側にそれぞれ設けられていることを特徴とする請求項２に記載の装飾装置。
【請求項４】
上記透明樹脂チューブの両端部に埋設された発光ダイオードは、上記透明樹脂チューブの長手方向に向けて配設されている導線によって電気的に接続されており、かつ上記導線は、その外周面が全長に亘って上記透明樹脂に覆われるとともに、その長手方向の両端部が上記第１の連結部材に配設されている第１の端子および第２の連結部材に配設されている第２の端子にそれぞれ電気的に接続されていることを特徴とする請求項３に記載の装飾装置。
【請求項５】
上記連結部材は、上記第１の連結部材が円柱体の外周壁面に軸線方向に係合溝を形成した第１の係合部を有するとともに、上記第２の連結部材がこの第１の係合部を挿入可能な円筒体の内周壁面に、上記係合溝に挿通する突条の係合部を軸線方向に向けて設けた第２の係合部を有することにより、上記第１の係合部における係合溝に上記第２の係合部における係合部が挿通して上記第１の連結部材と第２の連結部材とが接続されており、かつ上記第１の端子と上記第２の端子とが電気的に接続されていることを特徴とする請求項４に記載の装飾装置。
【請求項６】
上記第１の係合部は、その外周部の一部を軸線方向に向けて切り欠いた凹部が形成されるとともに、この凹部に当該第１の係合部の直径方向に可撓性を有する係止部材を有しており、かつ上記第２の係合部には、この係止部材を係止可能な窪みが上記円筒体の内周壁面に形成されていることを特徴とする請求項５に記載の装飾装置。
【請求項７】
上記連結部材は、上記第１の連結部材および上記第２の連結部材の少なくともいずれか一方の外周壁面にねじが切られているとともに、上記透明樹脂チューブの外周面周りに配設されて、上記ねじに螺合するねじが内周壁面に切られた円筒状の防水部材を有することを特徴とする請求項５または６に記載の装飾装置。
【請求項８】
上記透明樹脂チューブの両端部に埋設された発光ダイオードは、上記導線によって互いに並列に接続されており、かつ上記電流供給器は、上記第１の係合部を嵌め込んだ又は上記第２の係合部に嵌め込まれた電流供給部材を有し、この電流供給部材が上記第１の端子または第２の端子に電気的に接続されて、上記発光ダイオードに電流を供給可能に設けられていることを特徴とする請求項４ないし７のいずれか一項に記載の装飾装置。
【考案の詳細な説明】
【技術分野】
【０００１】
本考案は、特に、もみの木等の樹木やその模造品を装飾するのに適した装飾装置に関するものである。
【背景技術】
【０００２】
クリスマスシーズンになると、毎年のように世界各地の街中や各家庭において、もみの木等の樹木やその模造品に装飾品や多数の装飾用電球等が施されたものがみうけられる（例えば、特許文献１）。
【０００３】
特に近年、新たな光源として長寿命かつ低電力の発光ダイオードが開発されて、中でも、永年開発が難しいとされてきた短波長の青色発光ダイオードが世に出回るようになったことから、この樹木やその模造品に従来の装飾用電球に代えて青色発光ダイオードが装飾されることが多くなってきている。
【０００４】
しかしながら、上述の装飾用電球および青色発光ダイオードは、いずれも配線によって接続されており、この配線に接続された電球または発光ダイオードのみが目立つように飾られて、この電球または発光ダイオードの光のみが鑑賞に資するものであった。
【０００５】
【特許文献１】特開２００２−３６７５７２号公報
【考案の開示】
【考案が解決しようとする課題】
【０００６】
本考案は、かかる事情に鑑みてなされたもので、樹木等の他の物品に装飾することができ、電球等の光源から発せられる光のみでなく、この光を利用した新たな趣向の光の演出を楽しむことができる装飾装置を提供することを課題とする。
【課題を解決するための手段】
【０００７】
上記課題を解決するために、請求項１に記載の考案に係る装飾装置は、可撓性を有する透明樹脂チューブの長手方向の少なくとも一端部に当該長手方向に向けて発光する光源を有するとともに、上記透明樹脂チューブの両端部にそれぞれ連結部材を有する複数本の装飾部材が、一の装飾部材の上記連結部材である第１の連結部材と他の装飾部材の上記連結部材である第２の連結部材とを接続することにより連結されてなり、かつ上記光源に電流を供給可能な電流供給器が設けられていることを特徴としている。
【０００８】
請求項２に記載の考案は、請求項１に記載の装飾装置において、上記透明樹脂チューブは、内部まで無色の透明樹脂が充填されていることを特徴としている。
【０００９】
請求項３に記載の考案は、請求項２に記載の装飾装置において、上記光源は、発光ダイオードであって、上記透明樹脂チューブの長手方向に向けて発光するように上記透明樹脂チューブの両端部に埋設されており、かつ上記装飾部材は、それぞれ一端部に上記第１の連結部材が設けられているとともに、他端部に上記第２の連結部材が設けられており、これら第１の連結部材および第２の連結部材は、透明樹脂チューブに埋設された発光ダイオードの背面側にそれぞれ設けられていることを特徴としている。
【００１０】
請求項４に記載の考案は、請求項３に記載の装飾装置において、上記透明樹脂チューブの両端部に埋設された発光ダイオードは、上記透明樹脂チューブの長手方向に向けて配設されている導線によって電気的に接続されており、かつ上記導線は、その外周面が全長に亘って上記透明樹脂に覆われるとともに、その長手方向の両端部が上記第１の連結部材に配設されている第１の端子および第２の連結部材に配設されている第２の端子にそれぞれ電気的に接続されていることを特徴としている。
【００１１】
請求項５に記載の考案は、請求項４に記載の装飾装置において、上記連結部材は、上記第１の連結部材が円柱体の外周壁面に軸線方向に係合溝を形成した第１の係合部を有するとともに、上記第２の連結部材がこの第１の係合部を挿入可能な円筒体の内周壁面に、上記係合溝に挿通する突条の係合部を軸線方向に向けて設けた第２の係合部を有することにより、上記第１の係合部における係合溝に上記第２の係合部における係合部が挿通して上記第１の連結部材と第２の連結部材とが接続されており、かつ上記第１の端子と上記第２の端子とが電気的に接続されていることを特徴としている。
【００１２】
請求項６に記載の考案は、請求項５に記載の装飾装置において、上記第１の係合部は、その外周部の一部を軸線方向に向けて切り欠いた凹部が形成されるとともに、この凹部に当該第１の係合部の直径方向に可撓性を有する係止部材を有しており、かつ上記第２の係合部には、この係止部材を係止可能な窪みが上記円筒体の内周壁面に形成されていることを特徴としている。
【００１３】
請求項７に記載の考案は、請求項５または６に記載の装飾装置において、上記連結部材は、上記第１の連結部材および上記第２の連結部材の少なくともいずれか一方の外周壁面にねじが切られているとともに、上記透明樹脂チューブの外周面周りに配設されて、上記ねじに螺合するねじが内周壁面に切られた円筒状の防水部材を有することを特徴としている。
【００１４】
請求項８に記載の考案は、請求項４ないし７のいずれか一項に記載の装飾装置において、上記透明樹脂チューブの両端部に埋設された発光ダイオードは、上記導線によって互いに並列に接続されており、かつ上記電流供給器は、上記第１の係合部を嵌め込んだ又は上記第２の係合部に嵌め込まれた電流供給部材を有し、この電流供給部材が上記第１の端子または第２の端子に電気的に接続されて、上記発光ダイオードに電流を供給可能に設けられていることを特徴としている。
【考案の効果】
【００１５】
請求項１ないし８に記載の装飾装置によれば、電流供給器によって光源に電流を供給し、この光源からの光を透明樹脂チューブに乱反射させることによって、透明樹脂チューブにおける新たな趣向の光の演出を楽しむことができるとともに、同じ空間に光源のみを装飾した場合と比較して、光源数を著しく減少させて、省エネをも実現させることができる。
【００１６】
加えて、複数本の装飾部材を連結部材の接続により連結させて、所望の長さに調整することができるとともに、透明樹脂チューブに可撓性を付与したため、様々な形状に加工して樹木等の他の物品に装飾する等、用途に応じた利用を可能にすることができる。
【００１７】
特に、請求項２に記載の装飾装置によれば、内部まで透明樹脂を充填することにより、反射率が高くなって、透明樹脂チューブに乱反射する光の強度を大きくすることができる。また、透明樹脂チューブを無色の透明樹脂によって構成したため、透明樹脂チューブによって光源の色を吸収せずに、光源そのものの色の演出を楽しむことができ、エネルギー効率の低下を防止することができるとともに、装飾する物品との色の組み合わせを考えることなく、簡易的に利用することができる。
【００１８】
また、請求項３に記載の装飾装置によれば、光源として発熱しない発光ダイオードを用いることによって、透明樹脂に埋設しても安全に利用にすることができるとともに、発光ダイオードを透明樹脂チューブの両端部に埋設することにより、透明樹脂チューブを長くしても全長に亘って発光ダイオードからの光を均一的に乱反射させることができる。
加えて、この発光ダイオードの光が指向性を有するため、透明樹脂チューブの長手方向に向けて発光するように透明樹脂に埋設することによって、外部に漏れる光がなく、光の利用効率を高めることができ、さらには、連結部材を発光ダイオードの背面側に設けることによって、連結部材に発光ダイオードの光が吸収されることを防止することができ、結果として、エネルギーの利用効率を高めることができる。
【００１９】
また、装飾部材の一端部に第１の連結部材を設け、かつ他端部に第２の連結部材を設けることによって、両端部に第１の連結部材または第２の連結部材を設けた場合と異なり、装飾装置を組み立てる際に、装飾部材同士の組み合わせを考える必要がなく、容易に組み立てることができる。
【００２０】
請求項４に記載の装飾装置によれば、導線の外周面を全長に亘って透明樹脂によって覆うことにより、導線の断線を防止できるとともに、街中等の屋外で利用した場合にも導線が雨露に曝されることによる漏電を防止でき、安全性を高めて使用することができる。
【００２１】
請求項５に記載の装飾装置によれば、第１の連結部材が略円柱体の外周壁面に軸線方向に係合溝を形成した第１の係合部を有し、かつ第２の連結部材が円筒体の内周壁面に上記係合溝に挿通する突条の係合部を設けた第２の係合部を有するため、装飾部材を連結する際にも、第１の係合部を第２の係合部に挿入させることによって、係合溝に係合部を挿通させることにより、確実に第１の端子と第２の端子とを電気的に接続させることができる。加えて、装飾部材を連結した後の使用時においても、第１の係合部が第２の係合部に係合されて、第１の端子と第２の端子とが相対移動によって離間することによる断線を阻止することができる。
【００２２】
請求項６に記載の装飾装置によれば、第１の係合部の直径方向に可撓性を有する係止部材を第２の係合部の内周壁面に形成された窪みに係止させることによって、確実に第１の連結部材と第２の連結部材とを接続させることができる。
【００２３】
請求項７に記載の装飾装置によれば、防水部材のねじを第１の連結部材または第２の連結部材に切られたねじに螺合させて、装飾部材を多数連結させることにより、上部の装飾部材に大きな重力やその他予期せぬ外力等が作用しても、第１の連結部材が第２の連結部材から外れてしまうことを防止して、より安定に第１の連結部材と第２の連結部材とを接続させることができる。
【００２４】
加えて、防水部材によって第１の連結部材および第２の連結部材によって連結された装飾部材の接続部を覆うことができるため、街中等の屋外で利用した場合にも接続部から内部に雨露が浸透することによる漏電を防止でき、より安全性を高めて使用することができる。
【００２５】
請求項８に記載の装飾装置によれば、透明樹脂チューブの両端に設けた発光ダイオードを導線によって並列に接続したため、何等かの原因によって、万が一、特定の発光ダイオードと端子との間が断線した場合にも他の発光ダイオードに電流が供給されることから、一部の断線によるダメージを最小限に抑えることができる。
【００２６】
加えて、電流供給部材に第１の係合部を嵌め込み又は電流供給部材を第２の係合部に嵌め込むことにより、第１の連結部材または第２の連結部材を有効に利用して、乱雑な配線等によって美観を損ねることなく、各光源に電流を供給することができる。
【考案を実施するための最良の形態】
【００２７】
以下、本考案に係る装飾装置について、図１〜図５を用いて説明する。
【００２８】
本実施形態における装飾装置は、細長棒状の複数本（本実施形態においては４本）の装飾部材１を直列に連結したものが複数組（４組）形成されて、同一高さ位置に並列に配設された第１の装飾装置９１と、複数本（本実施形態においては５本）の装飾部材１９を直列に連結することにより環状に構成して、特定の形（本実施形態においては星形）が象られている第２の装飾装置９２とを有している。
【００２９】
第１の装飾装置９１は、可撓性を有する細長円柱状の透明樹脂チューブ１０と、透明樹脂チューブ１０の両端部にそれぞれ埋設された光源２と、これらのうちの一方の光源２の背面側に設けられた第１の連結部材３および他方の光源２の背面側に設けられた第２の連結部材４等の連結部材とを有する装飾部材１が複数本連結されて構成されている。
【００３０】
この光源２としては、各色の電球や発光ダイオード等のあらゆる発光体が使用可能であり、好ましくは発光ダイオードが用いられている。この発光ダイオードは、透明樹脂チューブ１０の両端部に同色のものが透明樹脂チューブ１０の長手方向に向けて発光するように埋設されており、この透明樹脂チューブ１０の両端部に設けられた同色の光源２は、透明樹脂チューブ１０の長手方向に向けて配設された導線５によって電気的に接続されている。
【００３１】
この透明樹脂チューブ１０は、光源２の光を乱反射する透明樹脂が内部まで充填された略断面円形状のチューブ本体１１と、その直径方向の両端部にそれぞれチューブ本体１１と同一の透明樹脂によって一体成形されて、上記導線５が内装される溝を有する突条部１５とによって構成されている。
【００３２】
このチューブ本体１１および突条部１５を一体成形する透明樹脂としては、上述の乱反射をするものであって、かつ可撓性を有するあらゆるものが使用可能であり、好ましくは無色の透明樹脂材料が用いられ、より好ましくはポリ塩化ビニル（ＰＶＣ）が用いられている。
【００３３】
上記第１の連結部材３は、チューブ本体１１の一端部を内挿させる円筒状の基端部３０と、この基端部３０の開口を閉塞する円環状部材３５およびこの円環状部材３５の内周縁部から透明樹脂チューブ１０の端部外方に向けて突出する円柱体３２を有する第１の係合部３１とによって構成されている。
【００３４】
この基端部３０は、チューブ本体１１と一体に設けられており、その外径が本体１１よりも大きく、突条部１５を含めた透明樹脂チューブ１０と略同一の大きさに形成されている。
【００３５】
上記円柱体３２は、その外周面に軸線方向に切り欠いた係合溝３２ａが形成されているとともに、この係合溝３２ａと円中心に対して点対称の位置に軸線方向に向けて、係合溝３２ａよりも周方向に幅広に切り欠かれた凹部３２ｂが形成されている。
加えて、上記第１の係合部３１は、凹部３２ｂの隙間に設けられて、円環状部材３５に立設する柱状の係止部材３４を有している。
【００３６】
この係止部材３４は、円柱体３２の周方向に幅広の横断面矩形状に形成された係止部材本体３４ａと、この係止部材本体３４ａの先端部に一体に設けられた突起３４ｂとによって構成されており、円柱体３２の直径方向に向けて可撓性が付与されている。
この突起３４ｂは、円柱体３２の外周面外方に突出して設けられており、漸次、基端部３０側に向けて円柱体３２の外周面外方に突出し、かつ下端面が係止部材本体３４ａの側面と直交する三角柱状に形成されている。
【００３７】
さらに、円柱体３２の外周面には、係合溝３２ａと凹部３２ｂとの間における中間部の２箇所に、円中心に対して互いに点対称となるように端子棒（第１の端子）を配設するための第１の端子溝がそれぞれ形成されるとともに、これらの第１の端子溝に対応して円環状部材３５にもそれぞれ端子棒を挿通させる端子孔３５ａが形成されている。そして、この円環状部材３５の裏面側には、光源２の背面部をはんだ等の導電材によって固着した基盤が固定されている。これにより、第１の端子溝に配設されて、端子孔３５ａを挿通した端子棒５０が上記基盤に電気的に直接接続されているとともに、この基盤に光源２が電気的に直接接続されている。
【００３８】
他方、第２の連結部材４は、チューブ本体１１の他端部を内挿させる円筒状の基端部４０と、この基端部４０と一体に形成されて、第１の係合部３１を挿入可能な円筒状の第２の係合部４２とによって構成されている。
この基端部４０は、チューブの本体１１と一体に設けられており、突条部１５を含めた透明樹脂チューブ１０と略同一の大きさに形成されている。
【００３９】
第２の係合部４２は、その外周面にねじ４９が切られており、第２の係合部４２の内周壁面４１には、係合溝３２ａに挿通可能な突条の係合部４３が軸線方向に向けて設けられるとともに、第１の端子溝に対応する第２の端子溝が形成されている。これにより、第２の係合部４２は、第１の係合部３１に係合可能に設けられるとともに、第１の連結部材３の円柱体３２の表面における第１の端子溝に配設された２本の端子棒５０と、第２の連結部材４の第２の係合部４２の内部表面における第２の端子溝に配設された２枚の端子板５１とがそれぞれ電気的に接続可能に設けられている。
【００４０】
加えて、第２の係合部４２は、その内周壁面４１における基端部側に係止部材３４における突起３４ｂを係止可能な窪み４５が形成されており、その基端部４０側の底部に内方に突出して、光源２の背面部を導電材によって固着した基盤２０の背面側を固定する固定部４６を有している。これにより、光源２が基盤２０に電気的に直接接続されるとともに、この基盤２０に上記第２の端子溝に配設された端子板（第２の端子）５１が電気的に直接接続されている。
【００４１】
さらに、端子棒５０に電気的に接続された基盤および端子板５１に電気的に接続された基盤２０には、それぞれ上記導線５の両端部が電気的に接続されており、本実施形態の装飾部材１は、透明樹脂チューブ１０の両端部に埋設され、背面部を基盤に固着した光源２が導線５によって電気的に並列に接続されている。
【００４２】
また、上記連結部材としては、第１の連結部材３および第２の連結部材４に加えて、透明樹脂チューブ１０の外周面周りに配設された円筒状の防水キャップ（防水部材）６を有している。
この防水キャップ６は、その内周面にねじ４９に螺合するねじ６９が第１の連結部材３側の端部から軸線方向に向けて略全面的に切られているとともに、透明樹脂チューブ１０の軸線方向中央部側の端部にＯリング６０が介装されており、チューブ本体１１との間に微少の隙間を有して、透明樹脂チューブ１０に対して相対回転可能に設けられて、透明樹脂チューブ１０に沿って案内されるようになっている。また、この防水キャップ６は、第２の連結部材４における第２の係合部４２の全長よりも軸線方向に大きく形成されて、この第２の係合部４２とともに第１の連結部材３の基端部３０を覆うように形成されている。
【００４３】
これにより、本実施形態の第１の装飾装置９１は、一の装飾部材１における第１の連結部材３と他の装飾部材１における第２の連結部材４とが、第２の連結部材３の円柱体３２を第２の連結部材４の第２の係合部４２に挿入させて、突起３４ｂを窪み４５に係止させることにより直接接続されている。それとともに、一の装飾部材１における防水キャップ６のねじ６９と他の装飾部材１における第２の連結部材４のねじ４９とが螺合されることによって複数本（本実施形態においては４本）の装飾部材１がそれぞれ第２の連結部材４側を上方にして連結されている。
【００４４】
そして、各組の最上段に位置する装飾部材１の第２の連結部材４の端子板５１に、それぞれ電流供給器８が電気的に接続されている。
この電流供給器８は、図６に示すように、プラグ８５を備えた電源コード８６が接続されているパルス変調器８４と、このパルス変調器８４に接続可能に設けられたＵＳＢ端子８３を備えた接続コード８２と、この接続コード８２の先端部に一体的に設けられた電流供給部材８１とによって構成されている。
【００４５】
この接続コード８２は、図１および２に示すように、第１の装飾装置９１が装飾部材１を連結したものを複数組有しているため、複数本に（本実施形態においては５本）に分枝されており、これら５本の分枝コードのうち４本の分岐コードの先端部に電流供給部材８１が設けられている。
この電流供給部材８１は、第１の連結部材と同一の構成を有して、上記分岐コードの先端部が内挿された係合部と、端子棒５０と同様に配設されて、上記分岐コードに電気的に接続された端子棒とによって構成されており、上記係合部が第２の連結部材４における第２の係合部４２に嵌め込み可能に設けられている。
【００４６】
一方、上記第２の装飾装置９２は、上述の透明樹脂チューブ１０、光源２、第１の連結部材３および第２の連結部材４を有する装飾部材１９がその中央部を屈曲させて用いられており、各装飾部材１９は、防水キャップ６を除いて、第１の装飾部材１と同様に構成されている。
そして、一の装飾部材１９の第１の連結部材３と他の装飾部材１９の第２の連結部材４とが外部連結部材９を介して間接的に接続されている。
【００４７】
この外部連結部材９は、筒状部材の一端部に第１の係合部３１と同一構成の第１の外付け連結部９３が一体的に設けられており、他端部に第２の係合部４２と同一構成の第２の外付け連結部９４が一体的に設けられている。これにより、この外部連結部材９は、第１の外付け連結部９３が第２の連結部材４に嵌め込まれるとともに、第２の外付け連結部９４が第１の連結部材３に嵌め込まれており、中央部が屈曲されている。
【００４８】
これによって、第２の装飾装置９２は、各装飾部材１９が外部連結部材９によって接続されることにより環状に構成されて、上記星形に象られている。
さらに、第２の装飾装置９２は、上述の電流供給部材８１が設けられていない残部のコード８２が装飾部材１９の導線５に電気的に接続されている。
【００４９】
なお、本発明は、上述の実施形態に何等限定されるものでなく、例えば、第２の装飾装置９２において、残部のコード８２が装飾部材の導線５に電気的に接続されるのでなく、第１の外付け連結部９３における端子に電気的に接続されていてもよい。また、一の装飾部材１、１９の両端部に第１の連結部材３がそれぞれ設けられるとともに、他の装飾部材１、１９の両端部に第２の連結部材４がそれぞれ設けられていてもよい。さらには、光源２が透明樹脂チューブ１０の両端部でなく、一端部のみに設けられていてもよい。
【００５０】
上述の装飾装置によれば、無色の透明樹脂が内部まで充填された透明樹脂チューブ１０の両端部に光源２として各色の発光ダイオードを透明樹脂チューブ１０の長手方向にむけて発光させるように埋設したため、透明樹脂チューブ１０に乱反射する光の強度を大きくすることができるとともに、光の利用効率を高めることができる。
【００５１】
また、透明樹脂チューブ１０を構成するチューブ本体１１と導線５を内装させる突条部１５とを一体成形によって形成したため、導線５の外周面を全長に亘って透明樹脂によって覆うことにより断線や漏電等を防止できるとともに、不要な光の屈折や吸収等を防止することができる。
【００５２】
さらに、第１の連結部材３における第１の係合部３１としての円柱体３２に係合溝３２ａを形成するとともに、第２の連結部材４における第２の係合部４２に突条の係合部４３を設けたため、この係合部４３を係合溝３２ａに挿入させることにより、確実に端子棒５０と端子板５１とを電気的に接続させることができるとともに、第１の連結部材３と第２の連結部材４との相対移動を防止して、端子棒５０と端子板５１とが周方向に離間することによる断線を阻止することができる。
【００５３】
加えて、第１の連結部材３における円柱体３２の直径方向に向けて可撓性を有する係止部材３４に突起３４ｂを設けるとともに、第２の連結部材４に窪み４５を形成したため、第１の連結部材３を第２の連結部材４の内部まで挿入させることによって、突起３４ｂを窪み４５内に嵌め込み、突起３４ｂの下端面を窪み４５の上端部に係止させることができるため、第１の連結部材３と第２の連結部材４とを確実に接続させて、複数本の装飾部材１を連結させることができる。また、同様に、外部連結部材９によって複数本の装飾部材１９を連結させることができる。
【００５４】
さらには、防水キャップ６の内周面にねじ６９を切ったため、このねじ６９をねじ４９に螺合させることにより、複数本の装飾部材１を連結させて装飾装置を構成した場合に、上部の装飾部材１に大きな重力等が直接突起３４ｂと窪み４５とによる係止に作用することを防止して、安定に第１の連結部材３と第２の連結部材とを接続させることができる。
加えて、防水キャップ６を第２の連結部材４における第２の係合部４２の全長よりも軸線方向に大きく形成して、第２の係合部４２とともに第１の連結部材３の基端部３０を覆うように形成し、かつＯリング６０を介装させたため、第１の連結部材３と第２の連結部材４との間から雨露等が浸透することを防止できる。
【００５５】
また、樹脂チューブ１０の両端部にそれぞれ埋設した光源２を、その背面部が導電材によって固着された各々の基盤に、端子棒５０または端子板５１を電気的に直接接続し、かつ導線５の両端部を電気的に接続することにより、並列に接続したため、万が一、特定の光源２と端子棒５０または端子板５１との間が断線した場合にも他の光源２に電流が供給されることから、複数の装飾部材１、１９を連結して装飾装置を構成した場合に、一部の断線によるダメージを最小限に抑えることができる。
【００５６】
さらに、このように複数本の装飾部材１を連結させた装飾装置における端部に位置する第２の連結部材４に、電流供給器８の電流供給部材８１を嵌め込むことによって、美観を損ねることなく、各発光ダイオードに電流を供給することができる。
【図面の簡単な説明】
【００５７】
【図１】本実施形態の装飾装置を示す全体概略図である。
【図２】図１の装飾装置の使用状態図である。
【図３】図１の装飾装置を構成する装飾部材１の全体説明図である。
【図４】図３の装飾部材１の両側面図であって、（ａ）は、第１の連結部材３の概略説明図であるとともに、（ｂ）は、第２の連結部材４の概略説明図である。
【図５】図１の装飾部材のＶ−Ｖ線端面図である。
【図６】電流供給器８の概念説明図である。
【符号の説明】
【００５８】
１      装飾部材
２      光源
３      第１の連結部材
４      第２の連結部材
５      導線
６      防水キャップ（防水部材）
８      電流供給器
１０    透明樹脂チューブ
１１    チューブ本体
１５    突条部
３１    第１の係合部
３２    円柱体
３２ａ  溝（係合溝）
３４    係止部材
４２    第２の係合部
４３    係合部
４５    窪み
５０    端子棒（第１の端子）
５１    端子板（第２の端子）
８１    電流供給部材
【図１】
0003134989.tif 000003
【図２】
0003134989.tif 000004
【図３】
0003134989.tif 000005
【図４】
0003134989.tif 000006
【図５】
0003134989.tif 000007
【図６】
0003134989.tif 000008